【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
前面側に所定の遊技領域が形成された遊技盤を収容保持する枠部材と、
前記枠部材の後面側に設けられて遊技球を払い出す払出装置と、
前記払出装置から払い出された遊技球が通過する球通路と、
前記球通路を通過した遊技球を貯留する球皿と、
前記払出装置による遊技球の払い出しを制御する制御手段と、を備える弾球遊技機であって、
前記払出装置は、
上側の球受容口から受け入れられた遊技球が通過する第１案内通路、及び遊技球を下側の球払出口へ案内して通過させる第２案内通路が形成されたケース部材と、
遊技球を受容可能な凹状の球受容凹部を有して前記第１案内通路と前記第２案内通路との間に回転可能に配設され、前記第１案内通路内の遊技球を１球ずつ前記球受容凹部に受容して前記第２案内通路に送り出す球送り部材と、
前記球送り部材を回転駆動する駆動手段と、
前記第１案内通路内の遊技球を当該第１案内通路から分岐して形成された球抜き通路を通じて機外へ排出させる球抜き機構と、
前記球送り部材により送り出される遊技球を検出するカウントセンサとを備え、
前記球送り部材は、回転軸周り等間隔に設けられた３つ以上の球案内凸部と、互いに隣り合う前記球案内凸部同士の間に設けられた３つ以上の前記球受容凹部とを有して、前記球案内凸部と前記球受容凹部とが回転方向に沿って繋がって形成されており、
前記球抜き機構は、前記球抜き通路の少なくとも一部を閉鎖して前記球抜き通路への遊技球の排出を不能とする閉鎖位置と前記球抜き通路を開放して前記球抜き通路への遊技球の排出を可能とする開放位置との間で移動可能に設けられた球抜き部材と、前記球抜き部材を前記閉鎖位置に保持する第１位置と前記球抜き部材を前記閉鎖位置から前記開放位置へ移動可能とする第２位置との間で移動可能に設けられた操作部材とを有し、
前記球抜き部材の先端側は、前記閉鎖位置にある状態において前記球送り部材側へ向けて鉛直方向に対して斜めに傾斜して前記球送り部材が回転したときに前記球案内凸部が通過可能となる通過孔が形成されており、
前記操作部材は、下側の前記第１位置と上側の前記第２位置との間で上下方向にスライド可能に構成されて、前記球抜き部材が前記閉鎖位置にあり前記操作部材が下側の前記第１位置にある状態では、前記球抜き部材に設けられた突出部と前記操作部材に設けられた突出部とが当接しており、
前記球抜き部材は、前記操作部材が前記第１位置にある場合、前記球送り部材の前記回転軸よりも上方において前記閉鎖位置に保持されて、前記球送り部材を回転させたときに当該球抜き部材の先端部と前記球送り部材の前記球案内凸部とが前記回転軸方向に重なり得るようになっており、
前記球送り部材のいずれかの前記球案内凸部が前記回転軸の上方となる所定の位置にあるときにおいて、前記操作部材が前記第１位置にある場合は、前記第１案内通路内の先頭の遊技球が前記回転軸の上方において前記球送り部材の前記いずれかの球案内凸部と前記球抜き部材とに跨って当接保持され、前記操作部材が前記第２位置にある場合は、前記先頭の遊技球による球圧によって前記球抜き部材が前記開放位置へ押圧されることで、前記先頭の遊技球と前記球抜き部材との当接が解かれて前記先頭の遊技球が前記球抜き通路へ導かれ、
前記球抜き通路を介して前記払出装置から排出された遊技球は、前記機外への排出口の近傍に設けられて左右方向に蛇行する流路である迂回流路を介して前記機外へ排出されることを特徴とする弾球遊技機。
【手続補正２】
【補正対象書類名】明細書
【補正対象項目名】０００８
【補正方法】変更
【補正の内容】
【０００８】
ところで、近年のパチンコ遊技機においては、球抜き処理時に遊技球がスプロケット上に１球も残存しない構造が求められている。
【手続補正３】
【補正対象書類名】明細書
【補正対象項目名】０００９
【補正方法】変更
【補正の内容】
【０００９】
本発明は、このような課題に鑑みてなされたものであり、球抜き処理時に遊技球が球送り部材上に残存しない弾球遊技機を提供することを目的とする。
【手続補正４】
【補正対象書類名】明細書
【補正対象項目名】００１０
【補正方法】変更
【補正の内容】
【００１０】
このような目的達成のために、本発明に係る弾球遊技機は、前面側に所定の遊技領域が形成された遊技盤を収容保持する枠部材と、前記枠部材の後面側に設けられて遊技球を払い出す払出装置と、前記払出装置から払い出された遊技球が通過する球通路と、前記球通路を通過した遊技球を貯留する球皿と、前記払出装置による遊技球の払い出しを制御する制御手段と、を備える弾球遊技機であって、前記払出装置は、上側の球受容口から受け入れられた遊技球が通過する第１案内通路、及び遊技球を下側の球払出口へ案内して通過させる第２案内通路が形成されたケース部材と、遊技球を受容可能な凹状の球受容凹部を有して前記第１案内通路と前記第２案内通路との間に回転可能に配設され、前記第１案内通路内の遊技球を１球ずつ前記球受容凹部に受容して前記第２案内通路に送り出す球送り部材と、前記球送り部材を回転駆動する駆動手段と、前記第１案内通路内の遊技球を当該第１案内通路から分岐して形成された球抜き通路を通じて機外へ排出させる球抜き機構と、前記球送り部材により送り出される遊技球を検出するカウントセンサとを備え、前記球送り部材は、回転軸周り等間隔に設けられた３つ以上の球案内凸部と、互いに隣り合う前記球案内凸部同士の間に設けられた３つ以上の前記球受容凹部とを有して、前記球案内凸部と前記球受容凹部とが回転方向に沿って繋がって形成されており、前記球抜き機構は、前記球抜き通路の少なくとも一部を閉鎖して前記球抜き通路への遊技球の排出を不能とする閉鎖位置と前記球抜き通路を開放して前記球抜き通路への遊技球の排出を可能とする開放位置との間で移動可能に設けられた球抜き部材と、前記球抜き部材を前記閉鎖位置に保持する第１位置と前記球抜き部材を前記閉鎖位置から前記開放位置へ移動可能とする第２位置との間で移動可能に設けられた操作部材とを有し、前記球抜き部材の先端側は、前記閉鎖位置にある状態において前記球送り部材側へ向けて鉛直方向に対して斜めに傾斜して前記球送り部材が回転したときに前記球案内凸部が通過可能となる通過孔が形成されており、前記操作部材は、下側の前記第１位置と上側の前記第２位置との間で上下方向にスライド可能に構成されて、前記球抜き部材が前記閉鎖位置にあり前記操作部材が下側の前記第１位置にある状態では、前記球抜き部材に設けられた突出部と前記操作部材に設けられた突出部とが当接しており、前記球抜き部材は、前記操作部材が前記第１位置にある場合、前記球送り部材の前記回転軸よりも上方において前記閉鎖位置に保持されて、前記球送り部材を回転させたときに当該球抜き部材の先端部と前記球送り部材の前記球案内凸部とが前記回転軸方向に重なり得るようになっており、前記球送り部材のいずれかの前記球案内凸部が前記回転軸の上方となる所定の位置にあるときにおいて、前記操作部材が前記第１位置にある場合は、前記第１案内通路内の先頭の遊技球が前記回転軸の上方において前記球送り部材の前記いずれかの球案内凸部と前記球抜き部材とに跨って当接保持され、前記操作部材が前記第２位置にある場合は、前記先頭の遊技球による球圧によって前記球抜き部材が前記開放位置へ押圧されることで、前記先頭の遊技球と前記球抜き部材との当接が解かれて前記先頭の遊技球が前記球抜き通路へ導かれ、前記球抜き通路を介して前記払出装置から排出された遊技球は、前記機外への排出口の近傍に設けられて左右方向に蛇行する流路である迂回流路を介して前記機外へ排出されることを特徴とする。
【手続補正５】
【補正対象書類名】明細書
【補正対象項目名】００１１
【補正方法】変更
【補正の内容】
【００１１】
本発明に係る弾球遊技機によれば、球抜き処理時に遊技球が球送り部材上に１球も残存しない構造を実現できる。